(57)【要約】      （修正有）【課題】大型化せず単純構成とすると共に、端末装置自身及びＬＡＮ上の負荷をも軽減可能とする装置監視システムおよび装置監視方法を提供する。【解決手段】例えば符号変更装置１４に電源が投入された時、この装置１４からＬＡＮ１１上に正常報知信号ｙ３を発信する正常報知信号発受信手段と、上記ＬＡＮ１１を介して正常報知信号ｙ３を受信した他方の監視制御装置１２，放送処理装置１３および通信制御装置１５側が正常に作動可能状態にある場合に、当該装置１２，１３および１５側からそれぞれ正常報知信号受信応答信号ｚ１，ｚ２およびｚ４をＬＡＮ１１上に発信される正常報知信号発受信手段を具備し、上記正常報知信号受信応答信号ｚ１，ｚ２およびｚ４を符号変更装置１４が受信することにより、当該符号変更装置１４にて上記他方の装置１２，１３および１５側が正常に作動可能状態にあることを認識できるようにした。【選択図】図３
2005252716.tif 000002
【特許請求の範囲】
【請求項１】
複数の装置をＬＡＮ上に接続し、一方の装置側にて他方の装置が正常に作動可能状態にあることを監視可能にした装置監視システムにおいて、
上記複数の装置の内、一方の装置に電源が投入された時、上記一方の装置からＬＡＮ上に正常報知信号を発信する正常報知信号発信手段と、
上記ＬＡＮを介して正常報知信号を受信した他方の装置側が正常に作動可能状態にある場合に、当該他方の装置側から正常報知信号受信応答信号をＬＡＮ上に発信できるように設けられた正常報知信号受信手段とを具備し、
上記正常報知信号受信応答信号を受信した上記一方の装置側において、上記他方の装置が正常に作動可能状態にあることを認識できるようにしたことを特徴とする装置監視システム。
【請求項２】
上記複数の装置の内、少なくとも１つの装置に他の装置側の作動可能状態が表示可能な表示装置を備えたことを特徴とする請求項１記載の装置監視システム。
【請求項３】
複数の装置をＬＡＮ上に接続し、一方の装置側から他方の装置が正常に作動可能状態にあることを監視する装置監視方法において、
上記複数の装置の内、一方の装置に電源が投入された時、この装置からＬＡＮ上に正常報知信号を発信するステップと、
この正常報知信号をＬＡＮを介して受信した他方の装置側から、当該他方の装置側が正常に作動可能状態にある場合に、上記他方の装置側から正常報知信号受信応答信号をＬＡＮ上に発信するステップと、
この発信された正常報知信号受信応答信号を上記一方の装置側において受信することにより、上記他方の装置が正常に作動可能状態にあることを認識するステップとを具備することを特徴とする装置監視方法。
【請求項４】
上記複数の装置の内、少なくとも１つの装置に他の装置側の作動可能状態を表示可能にすることを特徴とする請求項３記載の装置監視方法。
【発明の詳細な説明】
【技術分野】
【０００１】
本発明は、複数の装置間を通信接続する放送システム等のシステムに関わる装置監視システム及び装置監視方法に関する。
【背景技術】
【０００２】
従来、装置監視システムとして、信号伝送媒体であるＬＡＮ（Local Area Network）上に端末ダウン監視装置および複数の端末装置等の装置を接続し、この複数の装置の少なくとも１つが故障した場合（装置ダウン）に、装置ダウン監視装置により監視可能にしている。
【０００３】
この種の装置監視システムとして、特開平４−１６５７３１号公報（［特許文献１］参照）に開示されたものがある。
【０００４】
装置監視システム１は、図４に示すように、信号伝送媒体であるＬＡＮ２上に端末ダウン監視装置３および端末装置４，４…を接続して構成される。
【０００５】
端末ダウン監視装置３には、端末装置４，４…側へ、各端末装置４，４…の監視をするための監視信号を送信する通信制御部５と、端末装置４，４…のダウンを監視する監視部６と、端末装置４，４…の状態を記憶する記憶部や監視タイマ７を備えた内部メモリ８とが設けられる。
【０００６】
端末ダウン監視装置３は、内部メモリ８の監視部６により、端末装置４，４…の作動状況データ信号ｘ１を受信して装置監視システム１全体の作動状況を監視している。
【０００７】
すなわち、監視部６は、内部メモリ８の監視タイマ７を利用して一定時間無応答な端末装置４，４…があった場合に、通信制御部５側へ監視信号ｘ２を送信して端末装置４，４…のダウンを監視するようにしている。
【０００８】
この端末ダウン監視装置３によれば、監視信号ｘ２を受けた端末装置がダウンしていない場合には、端末装置、例えば端末装置４側からこの監視信号ｘ２に対して監視信号応答信号ｘ３が返ってくる。
【０００９】
すると、監視部６は、監視信号応答信号ｘ３の受信処理を行なう。
【００１０】
この受信処理は、監視信号応答信号ｘ３に予め含まれるアドレスデータを内部メモリ７に保存される相手端末アドレスデータを比較照合し、一致した場合には、上記端末装置４は、異常がないものとして取り扱われる。
【００１１】
一方、監視信号応答信号ｘ３の受信処理が行なわれなかった場合、すなわち、端末装置４から監視信号応答信号ｘ３が発信されなかった場合には、当該端末装置４は異常状態にあるものとして取り扱われる。
【００１２】
このように、複数の端末装置４，４…をＬＡＮ２上に接続する構成の装置監視システム１によれば、端末ダウン監視装置３で監視を行なうので、端末装置自身の負荷を軽減し、また、ＬＡＮ２上に無駄なデータ信号が送信されないためＬＡＮ２上の負荷も軽減でき、ＬＡＮ通信における性能向上に寄与することができる。
【特許文献１】特開平４−１６５７３１号公報（第２４４頁左下欄２行目の［実施例］の項〜第２４６頁左下欄の６行目および第１図〜第３図（ａ）〜（ｃ））
【発明の開示】
【発明が解決しようとする課題】
【００１３】
従来の装置監視システム１によれば、端末ダウン監視装置３で監視を行なうために、この端末ダウン監視装置３自体が別個に独立して必要となる一方で、ＬＡＮ２を介して作動中の端末装置４，４…側に対する監視信号ｘ２および監視応答信号ｘ３の受発信を随時に行なうようにしたシステムを採用したから、装置監視システムとして大型化、且つ複雑化するという欠点があった。
【００１４】
本発明は、上記事情に鑑みてなされたもので、装置監視システムとして大型化せず単純構成とすると共に、端末装置自身の負荷の軽減化とＬＡＮ上の負荷をも一層軽減可能とする装置監視システムおよび装置監視方法を提供することを目的とする。
【課題を解決するための手段】
【００１５】
上記目的を達成するために、本発明によれば、複数の装置をＬＡＮ上に接続し、一方の装置側にて他方の装置が正常に作動可能状態にあることを監視可能にした装置監視システムにおいて、上記複数の装置の内、一方の装置に電源が投入された時、上記一方の装置からＬＡＮ上に正常報知信号を発信する正常報知信号発信手段と、上記ＬＡＮを介して正常報知信号を受信した他方の装置側が正常に作動可能状態にある場合に、上記他方の装置側から正常報知信号受信応答信号をＬＡＮ上に発信できるように設けられた正常報知信号受信手段とを具備し、上記正常報知信号受信応答信号を受信した上記一方の装置側において、上記他方の装置が正常に作動可能状態にあることを認識できるようにしたことを特徴とする装置監視システムを提供する。
【００１６】
上記目的を達成するために、本発明によれば、複数の装置をＬＡＮ上に接続し、一方の装置側から他方の装置が正常に作動可能状態にあることを監視する装置監視方法において、上記複数の装置の内、一方の装置に電源が投入された時、この装置からＬＡＮ上に正常報知信号を発信するステップと、この正常報知信号をＬＡＮを介して受信した他方の装置側から、上記他方の装置側が正常に作動可能状態にある場合に、上記他方の装置側から正常報知信号受信応答信号をＬＡＮ上に発信するステップと、この発信された正常報知信号受信応答信号を上記一方の装置側において受信することにより、上記他方の装置が正常に作動可能状態にあることを認識するステップとを具備することを特徴とする装置監視方法を提供する。
【発明の効果】
【００１７】
装置監視システムとして大型化せず単純構成とすると共に、端末装置自身の負荷の軽減化とＬＡＮ上の負荷をも軽減可能とする装置監視システムおよび装置監視方法を提供することができる。
【発明を実施するための最良の形態】
【００１８】
本発明にかかる装置監視システムの実施形態について、添付図面を参照して説明する。
【００１９】
本発明の装置監視システムは、例えば放送システムへ適用されるものである。
【００２０】
図１は、この装置監視システムとして放送システム１０を例示し、ＬＡＮ１１の回線上における放送系信号の伝送状態を示す。ＬＡＮ１１上には、図示しない放送局側からに入力信号として放送生データ信号ａ１が伝送される。
【００２１】
放送システム１０は、複数の装置１２〜１５をＬＡＮ１１上に接続して構成されたもので、ＬＡＮ１１を介して一つの装置側から他の装置側へ制御や作動状態の監視を行なうことができるように設けられたものである。また、これらの複数の装置１２〜１５が正常に作動可能状態にあるか、相互に報知することができるようにしたものである。
【００２２】
上記複数の装置１２〜１５は、ＬＡＮ１１上に接続された複数の装置を制御したり、監視したり、また、各装置自らの作動（制御）可能状況を報知することができる監視・制御および報知機能を有する監視制御装置１２と、ＬＡＮ１１を介して放送生データ信号ａ１を最初に受信して放送データ処理信号ａ２を生成し、ＬＡＮ１１上に発信する放送処理装置１３と、この放送データ処理信号ａ２を受信して放送データ符号化信号ａ３を生成し、ＬＡＮ１１上に発信する符号変更装置１４と、この放送データ符号化信号ａ３を受信して、放送データ信号ａ４を生成し、ＬＡＮ１１上に発信する通信制御装置１５とから構成される。
【００２３】
すなわち、ＬＡＮ１１上には、放送生データ信号ａ１，放送データ処理信号ａ２，放送データ符号化信号ａ３および放送データ信号ａ４のそれぞれのデータ信号が伝送されるようになっている。
【００２４】
また、放送システム１０の各装置１２〜１４は、それぞれ主系および従系を備え、各系が同時運用可能に２重化構成となっている。
【００２５】
すなわち、監視制御装置１２は、主系監視制御装置１２ａおよび従系監視制御装置１２ｂを備えている。また、放送処理装置１３は、主系放送処理装置１３ａおよび従系放送処理装置１３ｂを備えている。また、符号変更装置１４は、主系符号変更装置１４ａおよび従系符号変更装置１４ｂを備えている。更に、通信制御装置１５は、主系通信制御装置１５ａおよび従系通信制御装置１５ｂを備えている。
【００２６】
従って、放送システム１０の各装置１２〜１５の内、例えば監視制御装置１２の主系監視制御装置１２ａが故障していた場合や、途中で故障を起こした場合には、この主系監視制御装置１２ａとは関わりなく、従系監視制御装置１２ｂが単独で作用するようになっている。
【００２７】
一方、このように構成される放送システム１０は、システム稼動させるに先だって、当該放送システム１０が正常に作動可能状態にあるか否かを、各装置１２〜１５が相互に認識し得るようにしている。
【００２８】
従って、放送システム１０の各装置１２〜１５の主系装置１２ａ〜１５ａの何れかが故障した場合には、従系装置１２ｂ〜１５ｂの何れかが、主系装置１２ａ〜１５ａの作用とは無関係に作用し、放送システム１０の運行維持が図られるようになっている。
【００２９】
監視制御装置１２には、パソコン（ＰＣ）１６ａと画面表示装置１７とを備えている。監視制御装置１２は、例えば卓状のもので、オペレータ（操作者）により、各装置１３〜１５側に対し、画面表示装置１７を目視しながら制御および監視可能に設けられる。
【００３０】
パソコン（ＰＣ）１６ａは、図２（ａ）に示すように、監視制御信号発受信手段２０，正常報知信号発受信手段２１ａ、これらの各手段２０および２１ａ側への供給電源用に備えられるＰＣ電源２３およびこのＰＣ電源２３と各手段２０および２１ａとの間に接続される電源スイッチ２４とから構成される。
【００３１】
監視制御信号発受信手段２０は、監視制御装置１２側から、例えば遠隔制御により、放送処理装置１３、符号変更装置１４および通信制御装置１５の作動を選択的に制御したり作動状況を定期的に監視するために設けられる。
【００３２】
正常報知信号発受信手段２１ａは、各装置１３〜１５側に対して、正常に作動可能状態にあるか否かを認識するために設けたものである。
【００３３】
画面表示装置１７は、放送生データ信号ａ１等の放送系信号および監視制御信号等の監視系信号を受信して、ディスプレイ（図示せず）上に監視および制御情報が表示されるようになっている。
【００３４】
監視制御装置１２は、図１に示す、ＬＡＮ１１上に伝送される放送生データ信号ａ１、この放送生データ信号ａ１に基き、各装置１３〜１５で順次生成される放送データ処理信号ａ２，放送データ符号化信号ａ３および放送データ信号ａ４を常時または逐次受信するようになっている。
【００３５】
また、監視制御装置１２は、これらの各信号ａ１〜ａ４の受信のタイミングに合わせて、各装置１３〜１５側に監視制御信号ｂ１を発信し、各装置１３〜１５に対して、都度、所望の作動制御がなし得るようになっている。
【００３６】
さらに、監視制御装置１２は放送システム１０を作動させるにあたって、当該監視制御装置１２自らが正常に作動可能状態であることを前以て放送処理装置１３，符号変更装置１４および通信制御装置１５側へ最初に報知せしめることができるようになっている。各装置１３〜１５側から応答信号を受信することにより、各装置相互に正常に作動可能状態にあることを認知することができるようになっている。
【００３７】
すなわち、監視制御装置１２側にて、自ら電源スイッチ２４を投入することにより、監視制御装置１２側から各装置１３，１４および１５側へ正常報知信号ｙ１を自動的に発信させるようになっている。
【００３８】
また、正常報知信号ｙ１を受信した各装置１３，１４および１５側から発信される正常報知信号受信応答信号ｚ２，ｚ３およびｚ４を受信するようになっている。従って、監視制御装置１２側において、他方側の装置１３，１４および１５が正常に作動可能状態あると認識することができるものである。
【００３９】
また、パソコン（ＰＣ）１６ａの監視制御信号発受信手段２０は、放送処理装置１３，符号変更装置１４および通信制御装置１５側へ監視制御信号ｂ１を発信するようになっている。この監視制御信号ｂ１は、各装置１３〜１５の制御および監視を行なうものである。
【００４０】
この監視制御信号ｂ１を受信する各装置１３〜１５は、監視制御信号確認信号ｂ２〜ｂ４を監視制御装置１２側へ発信するようになっている。また、監視制御信号確認信号ｂ２〜ｂ４を受信した監視制御装置１２は、各装置１３〜１５が正常に作動可能状態にあることを認識することができるようになっている。
【００４１】
すなわち、図１に示すように、監視制御装置１２側から各装置１３〜１５の各パソコン（ＰＣ）１６ｂ〜１６ｄ側へ監視制御信号ｂ１を送信するようにしているから、返信される監視制御信号確認信号ｂ２〜ｂ４側が受信することにより、監視制御装置１２にて各装置１３〜１５が正常に制御可能状態にあることを認識することができるようになっている。
【００４２】
次に、放送処理装置１３は、図１に示すように、放送システム１０において最初に放送生データ信号ａ１を受信することにより、信号処理がなされて放送データ処理信号ａ２を生成し、ＬＡＮ１１上に発信するようになっている。
【００４３】
放送処理装置１３は、パソコン（ＰＣ）１６ｂを備えている。このパソコン（ＰＣ）１６ｂは、図２（ｂ）に示すように、正常報知信号発受信手段２１ｂ，放送データ処理手段２５、これらの各手段２１ｂおよび２５側への供給電源用に備えられるＰＣ電源２３およびこのＰＣ電源２３と各手段２１ａおよび２５との間に接続される電源スイッチ２４とから構成される。
【００４４】
放送データ処理手段２５は、図１に示す、ＬＡＮ１１上に伝送される放送生データ信号ａ１を受信して、不要波の除去や信号増幅等の処理がなされ、この処理信号が放送データ処理信号ａ２として発信されるものである。
【００４５】
正常報知信号発受信手段２１ｂの構成は、図２（ａ）に示すパソコン（ＰＣ）１６ａの正常報知信号発受信手段２１ａと同様構成であるので説明を省略する。
【００４６】
また、放送処理装置１３は、放送システム１０を作動させるにあたって、当該放送処理装置１３自らが正常に作動可能状態であることを前以て監視制御装置１２，符号変更装置１４および通信制御装置１５側へ報知せしめることができるようになっており、さらに各装置１２，１４および１５側から応答信号を受信することにより、各装置相互に正常に作動可能状態にあることを認知することができるようになっている。
【００４７】
すなわち、放送処理装置１３側にて、自ら電源スイッチ２４を投入することにより、放送処理装置１３側から各装置１２，１４および１５側へ正常報知信号ｙ２を自動的に発信させるようになっている。
【００４８】
また、正常報知信号ｙ２を受信した各装置１２，１４および１５側から発信される正常報知信号受信応答信号ｚ１，ｚ３およびｚ４を受信するようになっている。従って、放送処理装置１３側において、他方側の装置１２，１４および１５が正常に作動可能状態あると認識することができるものである。
【００４９】
また、図２（ｂ）に示す、パソコン（ＰＣ）１６ｂの放送データ処理手段２５は、監視制御装置１２側から発信される監視制御信号確認信号ｂ１を受信することにより、所要の制御がなされるようになっている。
【００５０】
放送処理装置１３は、監視制御信号確認信号ｂ１を受信することにより、監視制御信号確認信号ｂ２を監視制御装置１２側へ送信すると同時に、監視制御信号ｂ１に含まれる制御指示に従って制御がなされるようになっている。
【００５１】
一方、放送処理装置１３は、放送システム１０を作動させるにあたって、各装置１２，１４および１５が正常に作動可能状態にあるか否かを認識することができるようにしている。
【００５２】
次に、符号変更装置１４は、図１に示すように、放送システム１０において放送データ処理信号ａ２を受信することにより、符号化処理がなされて放送データ符号化信号ａ３を生成し、ＬＡＮ１１上に発信するようになっている。
【００５３】
符号変更装置１４は、パソコン（ＰＣ）１６ｃを備えている。このパソコン（ＰＣ）１６ｃは、図２（ｃ）に示すように、正常報知信号発受信手段２１ｃ，符号変更処理手段２６、これらの各手段２１ｃおよび２６側への供給電源用に備えられるＰＣ電源２３およびこのＰＣ電源２３と各手段２１および２６との間に接続される電源スイッチ２４とから構成される。
【００５４】
符号変更処理手段２６は、図１に示す、ＬＡＮ１１上に伝送される放送データ処理信号ａ２を受信して、データ配列のための符号化処理がなされ、この処理信号が放送データ符号化信号ａ３として発信されるものである。
【００５５】
正常報知信号発受信手段２１ｃの構成は、図２（ａ）に示すパソコン（ＰＣ）１６ａの正常報知信号発受信手段２１ａと同様構成であるので説明を省略する。
【００５６】
また、符号変更装置１４は、放送システム１０を作動させるにあたって、当該符号変更装置１４自らが正常に作動可能状態であることを前以て監視制御装置１２，放送処理装置１３および通信制御装置１５側へ報知せしめることができるようになっている。
【００５７】
また、各装置１２，１３および１５側から応答信号を受信することにより、各装置相互に正常に作動可能状態にあることを認知することができるようになっている。
【００５８】
すなわち、符号変更装置１４側にて、自ら電源スイッチ２４を投入することにより、図３に示すように、符号変更装置１４側から各装置１２，１３および１５側へ正常報知信号ｙ３を自動的に発信させるようになっている。また、正常報知信号ｙ３を受信した各装置１２，１３および１５側から発信される正常報知信号受信応答信号ｚ１，ｚ２およびｚ４を受信するようになっている。従って、符号変更装置１４側において、他方側の装置１２，１３および１５が正常に作動可能状態あると認識することができるものである。
【００５９】
また、パソコン（ＰＣ）１６ｃの符号変更処理手段２６は、監視制御装置１２側から発信される監視制御信号確認信号ｂ１を受信することにより、所要の制御がなされるようになっている。
【００６０】
符号変更装置１４は、監視制御信号確認信号ｂ１を受信することにより、監視制御信号確認信号ｂ３を監視制御装置１２側へ送信すると同時に、監視制御信号ｂ１に含まれる制御指示に従って制御がなされるようになっている。
【００６１】
一方、符号変更装置１４は、放送システム１０を作動させるにあたって、各装置１２，１３および１５が正常に作動可能状態にあるか否かを認識することができるようにしている。
【００６２】
次に、通信制御装置１５は、図１に示すように、ＬＡＮ１１上に伝送される放送データ処理信号ａ３を受信することにより、包蔵データ化処理がなされた放送データ信号ａ４を生成し、ＬＡＮ１１上に発信するようになっている。
【００６３】
通信制御装置１５は、パソコン（ＰＣ）１６ｄを備えている。このパソコン（ＰＣ）１６ｄは、図２（ｄ）に示すように、正常報知信号発受信手段２１ｄ，放送データ信号加工手段２７、これらの各手段２１ｄおよび２７側へ供給電源用に備えられるＰＣ電源２３およびこのＰＣ電源２３と各手段２１ｄおよび２７との間に接続される電源スイッチ２４とから構成される。
【００６４】
放送データ信号加工手段２７は、図１に示すように、ＬＡＮ１１上に伝送される放送データ符号化信号ａ３を受信して、放送データの加工処理がなされ、この処理信号が放送データ信号ａ４として発信されるものである。
【００６５】
正常報知信号発受信手段２１ｄの構成は、図２（ａ）に示すパソコン（ＰＣ）の正常報知信号発受信手段２１ａと同様構成であるので説明を省略する。
【００６６】
また、通信制御装置１５は、放送システム１０を作動させるにあたって、当該通信制御装置１５自らが正常に作動可能状態にあることを前以て監視制御装置１２，放送処理装置１３および符号変更装置１４側へ報知せしめることができるようになっている。各装置１２〜１４側から応答信号を受信することにより、各装置相互に正常に作動可能状態にあることを認知することができるようになっている。すなわち、通信制御装置１５側にて、自ら電源スイッチ２４を投入することにより、図３に示すように、通信制御装置１５側から各装置１２〜１４側へ正常報知信号ｙ４を自動的に発信させるようになっている。
【００６７】
また、正常報知信号ｙ４を受信した各装置１２〜１４側から発信される正常報知信号受信応答信号ｚ１〜ｚ３を受信するようになっている。従って、通信制御装置１５側において、他方側の装置１２〜１４が正常に作動可能状態あると認識することができるものである。
【００６８】
また、パソコン（ＰＣ）１６ｄの放送データ加工手段２７は、監視制御装置１２側から発信される監視制御信号確認信号ｂ１を受信することにより、所要の制御がなされるようになっている。
【００６９】
通信制御装置１５は、図１に示すように、監視制御信号確認信号ｂ１を受信することにより、監視制御信号確認信号ｂ４を監視制御装置１２側へ送信すると同時に、監視制御信号ｂ１に含まれる制御指示に従って制御がなされるようになっている。
【００７０】
一方、通信制御装置１５は、放送システム１０を作動させるにあたって、各装置１２〜１４が正常に作動可能状態にあるか否かを認識することができるようにしている。
【００７１】
次に、放送システム１０の作用について図１〜図３を参照して説明する。
【００７２】
放送システム１０を作動させるにあたって、放送システム１０を構成する各装置１２〜１５が正常に作動可能状態にあるか否かを以下のステップにより認識（確認）する。
【００７３】
放送システム１０を構成する監視制御装置１２，放送処理装置１３，符号変更装置１４および通信制御装置１５の各装置に対して電源を接続する。
【００７４】
すなわち、各装置１２〜１５の全てのパソコン（ＰＣ）１６ａ〜１６ｄの電源スイッチ２４をオンさせる。
【００７５】
この全てのパソコン（ＰＣ）１６ａ〜１６ｄの電源スイッチのオンにより、各装置１２〜１５の主系および従系の各装置が同時に電源投入される。
【００７６】
例えば、監視制御装置１２のパソコン（ＰＣ）１６ａに電源が投入されると、主系および従系の監視制御信号発受信手段２０，２０が作動して、監視制御信号ｂ１が主系および従系のそれぞれからＬＡＮ１１上へ発信する。この発信した主系および従系の監視制御信号ｂ１は、放送処理装置１３，符号変更装置１４および通信制御装置１５側にて受信する。
【００７７】
主系および従系の監視制御信号ｂ１を受信した各装置１３〜１５は、それぞれの正常報知信号発受信手段２１ｂ〜２１ｄから監視制御信号確認信号ｂ２〜ｂ４をＬＡＮ１１上に発信する。ここで、各装置１３〜１５から発信される監視制御信号確認信号ｂ２〜ｂ４は、上記主系および従系の側から発信される監視制御信号ｂ１の少なくとも一方の信号を受信することにより発信される。
【００７８】
この発信された監視制御信号確認信号ｂ２〜ｂ４を監視制御装置１２が受信することにより、監視制御装置１２にて各装置１３〜１５が正常に作動可能状態にあることを認識する。
【００７９】
また、同時に監視制御信号ｂ１に、各装置１３〜１５に対する制御信号が含まれていた場合には、この制御信号に伴なう制御がなされることを認識する。
【００８０】
更に、監視制御装置１２は、監視制御信号確認信号ｂ２〜ｂ４を監視制御装置１２側から各装置１３〜１５側へ転送し、当該装置１３〜１５側においても相互に正常に作動可能状態にあることを認識する。
【００８１】
従って、監視制御装置１２と共に放送処理装置１３，符号変更装置１４および通信制御装置１５側のそれぞれが相互に、放送システム１０が作動可能状態にあることを認識する＜ステップ１＞。
【００８２】
次に、他の各装置１３〜１５のパソコン（ＰＣ）１６ｂ〜１６ｄの電源を入れる。例えば符号変更装置１４側の電源を入れた場合のステップを説明する。
【００８３】
符号変更装置１４のパソコン（ＰＣ）１６ｃの電源スイッチ２４をオンすると、パソコン（ＰＣ）１６ｂの正常報知信号発受信手段２１ｂから正常報知信号ｙ３が発信される＜ステップ２＞。
【００８４】
監視制御装置１２，放送処理装置１３および通信制御装置１５は、正常報知信号ｙ３を受信することにより、これらの各装置１２，１３および１５が正常に作動可能状態にある場合には、当該各装置１２，１３および１５側からそれぞれ正常報知信号受信応答信号ｚ１，ｚ２およびｚ４が発信される。
【００８５】
そして、これらの正常報知信号受信応答信号ｚ１，ｚ２およびｚ４が符号変更装置１４側にて受信される。
【００８６】
従って、監視制御装置１２，放送処理装置１３および通信制御装置１５側は、符号変更装置１４が正常な状態にあることを認識する。
【００８７】
また同時に、監視制御装置１２側においても、正常報知信号受信応答信号ｚ２〜ｚ４を受信して、放送処理装置１３，符号変更装置１４および通信制御装置１５のそれぞれが正常な状態にあることを認識する。
【００８８】
すなわち、監視制御装置１２の画面表示装置１７に表示される放送系および監視系データの内容をオペレータにより監視する。
【００８９】
なお、各装置１２，１３および１５の何れかに電源が入っていない場合や、各装置１２，１３および１５の主系および従系が共に故障していた場合、例えば放送処理装置１３の電源が入っていなかった場合には、符号変更装置１４側へ正常報知信号受信応答信号ｚ２の受信がない。従って、符号変更装置１４は、放送処理装置１３が正常に作動可能状態にないことを認識する＜ステップ３＞。
【００９０】
また、他の装置、すなわち放送処理装置１３および通信制御装置１５の主系および従系の各装置においても、符号変更装置１４における＜ステップ１＞〜＜ステップ３＞と同様のステップに沿い順次行なう。従って、放送処理装置１３，符号変更装置１４および通信制御装置１５において、上記＜ステップ１＞〜＜ステップ３＞を順次行なうことにより、放送システム１０が正常に作動可能状態であることを、全ての装置１２〜１５のそれぞれが相互に認識する＜ステップ４＞。
【００９１】
次に、放送システム１０が正常に作動可能状態にあることを各装置１２〜１５が相互に認識した後に、この放送システム１０の作動を以下のステップにより行なう。
【００９２】
放送処理装置１３により、ＬＡＮ１１上へ伝送される放送生データ信号ａ１を受信することにより、放送データ処理信号ａ２を発信し、ＬＡＮ１１上に伝送する。また、同時にこの放送データ処理信号ａ２を監視制御装置１２側にて受信する。放送データ処理信号ａ２を受信する監視制御装置１２は、放送処理装置１３が正常に作動可能状態にあることを認識する＜ステップ５＞。
【００９３】
更に、同時に符号変更装置１４側にて放送データ処理信号ａ２を受信し、放送データ符号化信号ａ３を発信して、ＬＡＮ１１上に伝送する。この伝送された放送データ符号化信号ａ３を、監視制御装置１２側にて受信することにのより、符号変更装置１４が正常に作動可能状態にあることを認識する＜ステップ６＞。
【００９４】
更に、伝送された放送データ符号化信号ａ３を通信制御装置１５にて受信することにより、放送データ信号ａ４を生成して発信し、専用電話回線１８を介して放送センタ側へ送信する＜ステップ７＞。
【００９５】
なお、上記＜ステップ４＞〜＜ステップ７＞の間において、監視制御装置１２側にて、放送処理装置１３，符号変更装置１４および通信制御装置１５の作動条件や設定条件により所望の制御を行なう場合には、監視制御装置１２側から、各装置１３〜１５側へ所要の制御データを含む監視制御信号ｂ１を送信する。
【００９６】
放送処理装置１３，符号変更装置１４および通信制御装置１５は、この監視制御信号ｂ１を受信すると同時に、監視制御信号確認信号ｂ２，ｂ３およびｂ４を監視制御装置１２側へ応答（返信）する。
【００９７】
この応答により、各装置１３〜１５は、この監視制御信号ｂ１の制御データ内容に基き、所要の制御がなされる。
【００９８】
なお、符号変更装置１４を例にとって作用を説明したが、監視制御装置１２，放送処理装置１３および通信制御装置１５においても同様作用をなすものである。
【００９９】
このように、放送システム１０を作動させるにあたって、監視制御装置１２，放送処理装置１３，符号変更装置１４および通信制御装置１５のそれぞれの電源を投入した際に、各装置１２〜１５が正常に作動可能状態にあることを、各装置１２〜１５の相互間で前以て認識させることができるようにしたから、装置監視システム１０として大型化せず単純構成とすると共に、監視制御装置１２等各装置自身の負荷の軽減化とＬＡＮ１１上の負荷をも軽減可能とする装置監視システムおよび装置監視方法を提供することができる。
【０１００】
また、放送システム１０の作動中に各装置１２〜１５のそれぞれが正常に作動可能状態にあることの認識、確認を改めて行なう必要がなく、装置自身の負荷の軽減と、ＬＡＮ１１上の負荷の軽減をも可能にし得る装置監視システムおよび装置監視方法を提供できる。
【０１０１】
なお、本発明における監視制御装置１２のパソコン（ＰＣ）１６ａには、放送処理装置１３等の他の装置を監視および制御可能に設けたが、必ずしも必要なものではなく、例えば放送処理装置１３に備えられるパソコン（ＰＣ）１６ｂと同等のものであってもよい。
【０１０２】
すなわち、監視制御装置１２側においても、例えば放送処理装置１３のパソコン（ＰＣ）１６ｂに電源を投入することにより、監視制御装置１２自ら正常に作動可能状態にあることを他の装置１３〜１５側へ認識せしめることができると同時に、当該装置１３〜１５側が正常に作動可能状態にあることを監視制御装置１２側において認識することができる。
【０１０３】
また、本発明における監視制御装置１２，放送処理装置１３，符号変更装置１４および通信制御装置１５の何れか一つ、例えば符号変更装置１４側から他の装置、例えば監視制御装置１２側のみ監視制御信号ｂ２を送信するようにすることも可能である。
【０１０４】
すなわち、放送処理装置１３側から発信する監視制御信号確認信号ｂ２に監視制御装置１２側のアドレスデータを含めて発信させ、監視制御装置１２側には、予め記憶させたアドレスデータとを比較照合することにより、送受信を可能とする手法を用いる。
【０１０５】
この手法を用いる場合には、例えば監視制御装置１２側にて他の放送処理装置１３，符号変更装置１４および通信制御装置１５を一元管理することが可能となり、また、この一元管理する場合には、ＬＡＮ１１に対して各装置１２〜１５側から発信する監視制御信号ｂ１、監視制御信号確認信号ｂ２〜ｂ４、正常報知信号ｙ１〜ｙ４および正常報知信号受信応答信号ｚ１〜ｚ４の伝送容量もより一層低減可能となる。
【０１０６】
更に、本発明における放送システム１０は、監視制御装置１２等の各装置１３〜１５として、それぞれ主系および従系の２重構成としたので、例えば主系が故障した場合にでも、従系で対応可能としたから、故障等でシステムダウンすることを極力回避可能となり、特に放送システムへの採用に好適するものである。
【図面の簡単な説明】
【０１０７】
【図１】本発明の実施形態を示す放送システムのＬＡＮ回線上における放送系信号および監視系信号の伝送状態を示す概要図。
【図２】図１のＬＡＮ回線に接続される監視制御装置等の複数の装置に設けられるＰＣの構成を示す概要図で、（ａ）は、監視制御装置に備えられるＰＣ、（ｂ）は、放送処理装置に備えられるＰＣ、（ｃ）は、符号変更装置に備えられるＰＣおよび（ｄ）は、通信制御装置に備えられるＰＣを示す。
【図３】図１におけるＬＡＮ回線上において、報知信号系の信号の伝送状態を示す概略図。
【図４】従来の装置監視システムのＬＡＮ回線部において、監視系信号の伝送状態を示す概略図。
【符号の説明】
【０１０８】
１０  放送システム（装置監視システム）
１１  ＬＡＮ（Local Area Network）
１２  監視制御装置
１２ａ  主系監視制御装置
１２ｂ  従系監視制御装置
１３  放送処理装置
１３ａ  主系放送処理装置
１３ｂ  従系放送処理装置
１４  符号変更装置
１４ａ  主系符号変更装置
１４ｂ  従系符号変更装置
１５  通信制御装置
１５ａ  主系通信制御装置
１５ｂ  従系通信制御装置
１６ａ〜１６ｄ  パソコン（ＰＣ）
１７  画面表示装置
１８  専用電話回線（専用通信回線）
２０  監視制御信号発受信手段
２１ａ〜２１ｄ  正常報知信号発受信手段
２３  ＰＣ電源
２４  電源スイッチ
２５  放送データ処理手段
２６  符号変更処理手段
２７  放送データ信号加工手段
ａ１  放送生データ信号
ａ２  放送データ処理信号
ａ３  放送データ符号化信号
ａ４  放送データ信号
ｂ１  監視制御信号
ｂ２〜ｂ４  監視制御信号確認信号
ｃ  予備系起動信号
ｙ１〜ｙ４  正常報知信号
ｚ１〜ｚ４  正常報知信号受信応答信号
【図１】
2005252716.tif 000003
【図２】
2005252716.tif 000004
【図３】
2005252716.tif 000005
【図４】
2005252716.tif 000006